(57)【要約】【課題】  清掃具に清掃シートをスムースかつ安定確実に挿着すること。【解決手段】  清掃具１であって、使用者により把持される把持部１１に連結した取付部４０１の先端側から清掃シート５００を挿着し、取付部４０１の基端側に清掃シート５００の一端部を保持する保持部４０４を設け、取付部４０１の先端側に清掃シート５００に対する滑り止め部４０５を設けたもの。【選択図】  図８
2008272242.tif 000002
【特許請求の範囲】
【請求項１】
使用者により把持される把持部に連結した取付部の先端側から清掃シートを挿着し、
取付部の基端側に清掃シートの一端部を保持する保持部を設け、
取付部の先端側に清掃シートに対する滑り止め部を設けた清掃具。
【請求項２】
清掃シートを挿着する取付部を有し、
取付部の少なくとも一部に清掃シートに対する滑り止め部を設け、
滑り止め部は突部集合体であり、突部は取付部から立ち上がる側面と該側面に交差する天面からなり、側面は滑らかで角なく形成され、側面と天面の交差部が角状に形成されてなる清掃具。
【請求項３】
前記取付部の先端側から清掃シートを挿着するに際し、取付部の基端側を広幅部、先端側を狭幅部とし、広幅部と狭幅部の境界に段差状係止部を設け、
取付部の基端側に清掃シートの一端部を保持する保持部を設け、狭幅部に清掃シートに対する滑り止め部を設け、
清掃シートの挿着範囲の中間部に狭幅の引掛部を設け、取付部に挿着した清掃シートの引掛部を取付部の段差状係止部に引掛けた状態で、清掃シートの一端部を取付部の保持部に保持するとともに、清掃シートを滑り止め部で滑り止め可能にする請求項１又は２に記載の清掃具。
【請求項４】
前記清掃シートが筒状不織布を有し、この不織布の筒が取付部に挿着される請求項１〜３のいずれかに記載の清掃具。
【請求項５】
前記清掃シートの筒が取付部に挿着される方向の延長線上に貫通している請求項４に記載の清掃具。
【請求項６】
前記滑り止め部が取付部に設けられた高摩擦材料からなる請求項１〜５のいずれかに記載の清掃具。
【発明の詳細な説明】
【技術分野】
【０００１】
本発明は清掃具に関する。
【背景技術】
【０００２】
使用者により把持される把持部に連結した取付部の先端側から清掃シートを挿着する清掃具として、特許文献１に記載の如く、取付部を２本の平行な支持板であって、両支持板の間隔が狭まる方向へ弾性変形できる支持板により構成し、２本の支持板の清掃シートが挿着される長手方向における外側部に設けた突部の摩擦力により清掃シートを支持しようとするものがある。
【特許文献１】特開2003-265390
【発明の開示】
【発明が解決しようとする課題】
【０００３】
特許文献１に記載の清掃具には以下の問題点がある。
(1)２本の支持板に清掃シートを挿着するときに、相当の抵抗力がある。
【０００４】
(2)２本の支持板に清掃シートを挿着したとき、突部より先端側では清掃シートを保持できない。従って、清掃時の清掃力が清掃シートに作用すると、２本の支持板の先端側に被着されていた清掃シートが突部まで押し込まれ、清掃シートの安定確実な挿着状態を維持できない。清掃シートが支持板に対して両端部のどちらからも挿着できるように貫通する筒状をなしているときには、支持板の先端側が該清掃シートに覆われない状態で露出して被清掃面に直に触れて被清掃面を傷つけるおそれがある。
【０００５】
本発明の課題は、清掃具に清掃シートをスムースかつ安定確実に挿着することにある。
【課題を解決するための手段】
【０００６】
請求項１の発明は、使用者により把持される把持部に連結した取付部の先端側から清掃シートを挿着し、取付部の基端側に清掃シートの一端部を保持する保持部を設け、取付部の先端側に清掃シートに対する滑り止め部を設けた清掃具である。
【０００７】
請求項２の発明は、清掃シートを挿着する取付部を有し、取付部の少なくとも一部に清掃シートに対する滑り止め部を設け、滑り止め部は突部集合体であり、突部は取付部から立ち上がる側面と該側面に交差する天面からなり、側面は滑らかで角なく形成され、側面と天面の交差部が角状に形成されてなる清掃具である。
【０００８】
請求項３の発明は、請求項１又は２の発明において更に、前記取付部の先端側から清掃シートを挿着するに際し、取付部の基端側を広幅部、先端側を狭幅部とし、広幅部と狭幅部の境界に段差状係止部を設け、取付部の基端側に清掃シートの一端部を保持する保持部を設け、狭幅部に清掃シートに対する滑り止め部を設け、清掃シートの挿着範囲の中間部に狭幅の引掛部を設け、取付部に挿着した清掃シートの引掛部を取付部の段差状係止部に引掛けた状態で、清掃シートの一端部を取付部の保持部に保持するとともに、清掃シートを滑り止め部で滑り止め可能にするようにしたものである。
【０００９】
請求項４の発明は、請求項１〜３のいずれかの発明において更に、前記清掃シートが筒状不織布を有し、この不織布の筒が取付部に挿着されるようにしたものである。
【００１０】
請求項５の発明は、請求項４の発明において更に、前記清掃シートの筒が取付部に挿着される方向の延長線上に貫通しているようにしたものである。
【００１１】
請求項６の発明は、請求項１〜５のいずれかの発明において更に、前記滑り止め部が取付部に設けられた高摩擦材料からなるようにしたものである。
【発明の効果】
【００１２】
（請求項１）
(a)清掃具において、取付部の滑り止め部は清掃シートが被清掃面からの清掃反力により滑り止め部に押圧されたときに該清掃シートを滑り止めする。従って、清掃シートを取付部に挿着するに際しては、滑り止め部が清掃シートに対する抵抗にならない。
【００１３】
(b)取付部に清掃シートを挿着した清掃時には、清掃シートの一端部が取付部の基端側の保持部に保持され、かつ清掃シートは取付部の先端側で滑り止め部に滑り止めされる。従って、清掃シートは取付部に対しずれ動くことなく、安定確実に挿着状態を維持される。
【００１４】
（請求項２）
(c)取付部の滑り止め部が突部集合体であり、突部は取付部から立ち上がる側面と該側面に交差する天面からなり、側面は滑らかで角なく形成され、側面と天面の交差部が角状に形成される。従って、清掃シートは突部の側面と天面の角状交差部に係合して滑り止めされる。また、突部の側面が滑らかで角なく形成されるから、使用者の手指を痛めることもない。
【００１５】
（請求項３）
(d)取付部の基端側を広幅部、先端側を狭幅部とし、広幅部と狭幅部の境界に段差状係止部を設けた。清掃シートの中間部を取付部の段差状係止部に係止する状態で、清掃シートの一端部を取付部の基端側の保持部に保持することにより、清掃シートの一端部〜中間部を取付部に安定確実に挿着できる。しかも、清掃シートの中間部〜他端部を取付部の滑り止め部に滑り止めできる。
【００１６】
（請求項４）
(e)清掃シートの筒状不織布を取付部に挿着したとき、不織布を構成する繊維の交絡部が滑り止め部を構成する突部に引掛かり係合して確実に滑り止めされる。
【００１７】
（請求項５）
(f)清掃シートが貫通する筒をなすから、清掃シートの両端部のどちらからも清掃具の取付部に挿着できる。清掃シートの先端部分が汚れ易く、根元部分は汚れにくいことから、どちら側からでも差込み可能にしているものである。この場合にも、清掃シートは、取付部に滑り止めされて安定確実な挿着状態を維持されるから、取付部の先端が清掃シートの筒から突き出て被清掃面に触れる虞がない。
【００１８】
（請求項６）
(g)清掃シートが取付部に設けた高摩擦材料の滑り止め部に高摩擦力で確実に滑り止めされる。
【発明を実施するための最良の形態】
【００１９】
図１は清掃具を示す斜視図、図２は清掃シートの挿着状態を示す斜視図、図３は清掃具のヘッドジョイントを示し、（Ａ）は全体図、（Ｂ）は拡大図、図４はヘッドジョイントの組立過程を示す斜視図、図５はヘッドジョイントの組立過程を示す断面図、図６は清掃シートのシート保持用突起を示す平面図、図７は清掃シートのシート保持用突起への挿入過程を示す断面図、図８は清掃ヘッドの取付プレートに設けた滑り止め部を示す裏面図、図９は取付プレートの滑り止め部を拡大して示す裏面図、図１０は取付プレートの滑り止め部を拡大して示す断面図、図１１は取付プレートの滑り止め部に対する清掃シートの引掛かり状態を示す模式図である。
【実施例】
【００２０】
清掃具１は、図１、図２に示す如く、棒状具１００の最先端部に角度調節アーム２００の基端部を連結し、角度調節アーム２００の先端部にヘッドジョイント３００を介して清掃ヘッド４００を連結し、清掃ヘッド４００の取付プレート４０１に清掃シート５００を着脱して使用に供される。
【００２１】
棒状具１００は複数の軸１０〜４０を伸縮自在に連結したものであり、図１、図２は最収縮状態を示す。第１軸１０は清掃具１において使用者により把持される把持部１１を構成する。
【００２２】
角度調節アーム２００は、棒状具１００に連結してある清掃ヘッド４００の取付角度を調節して使用できる。
【００２３】
ヘッドジョイント３００は、角度調節アーム２００の先端部に清掃ヘッド４００を連結する。ヘッドジョイント３００は、図３〜図５に示す如く、ステンレス鋼板ばね３０１からなる。板ばね３０１の基端部は角度調節アーム２００の先端側裏面に設けてあるコの字断面状取付溝２０８に差し込まれ、止ねじ３０２が板ばね３０１のばか孔３０１Ａに挿通されてアーム２００のねじ孔２０９に螺着されることにより、板ばね３０１の基端部がアーム２００の取付溝２０８に固定される。板ばね３０１の先端部は清掃ヘッド４００の取付プレート４０１の後端部に設けてある取付スリット４０２に差し込まれ、板ばね３０１の先端部を取付プレート４０１の後端側上面に設けてある取付凸部４０３の上端の前上り勾配面４０３Ａに滑らせ、板ばね３０１の先端側取付孔３０１Ｂを取付凸部４０３に係着させる。これにより、清掃ヘッド４００は、ヘッドジョイント３００によりしなやかに曲がり、取付プレート４０１の根元までの全面を清掃面に押付けできる。清掃ヘッド４００が上下方向に曲がるので、棒状具１００に対する清掃ヘッド４００の交差角度を微妙に手元調節しなくても、取付プレート４０１を清掃面に追従させることができる。
【００２４】
清掃ヘッド４００は、取付プレート４０１を清掃シート５００のための取付部とし、取付プレート４０１の先端側（取付プレート４０１の棒状具１００に近い側を基端側、その反対側を先端側という）から清掃シート５００を挿着するに際し、取付プレート４０１の基端側を広幅部４０１Ａ、先端側を狭幅部４０１Ｂ、広幅部４０１Ａと狭幅部４０１Ｂの境界に左右の段差状係止部４０１Ｃを設ける。本実施例では広幅部４０１Ａを狭幅部４０１Ｂより清掃シート５００の挿着方向に長くしてある。
【００２５】
清掃ヘッド４００は、取付プレート４０１の基端側、本実施例では広幅部４０１Ａの上面の根元側に、清掃シート５００の一端部を保持するシート保持用突起４０４（保持部）を設け、取付プレート４０１の先端側、本実施例では狭幅部４０１Ｂの下面（上面にも設けることも可）に、清掃シート５００の袋状をなす内面に摩擦接触する滑り止め部４０５を設けている。
【００２６】
清掃シート５００は、例えばベース不織布５０１Ａと、ベース不織布５０１Ａの表面の繊維５０１Ｂとからなる。清掃シート５００は、取付プレート４０１に被着できるように２枚のベース不織布５０１Ａを両端開口の袋状をなすように取付プレート４０１に挿着される方向の延長線上に貫通する筒状に重ね合せる左右両側のシール５０２（線状シール又は並設した点状シール）を備え、長手方向の中間部の左右両側には取付プレート４０１における広巾部４０１Ａと狭巾部４０１Ｂの境界に設けられる左右の段差状の係止部４０１Ｃに引掛かる点シール５０３を備える。清掃シート５００は、ベース不織布５０１Ａの長手方向の両端部の中央に、取付プレート４０１のシート保持用突起４０４に係止される係止孔５０４を備える。
【００２７】
清掃シート５００の筒状のベース不織布５０１Ａを清掃ヘッド４００の取付プレート４０１に挿着し、両側の点シール５０３を取付プレート４０１の左右の係止部４０１Ｃに引掛け、係止孔５０４を取付プレート４０１のシート保持用突起４０４に係止して用いる。このとき、清掃ヘッド４００のシート保持用突起４０４は、図６、図７に示す如く、取付プレート４０１の広幅部４０１Ａの上面の根元側に突起軸部４０４Ｂを介してつながる頭部４０４Ａを有し、頭部４０４Ａは平面視で清掃シート５００の挿着方向に該清掃シート５００の係止孔５０４より長い縦長形状をなし、シート挿入側下面にテーパ面４０４Ｃを設け、清掃シート５００の係止孔５０４が頭部４０４Ａを通過して突起軸部４０４Ｂに係止するようにし、清掃シート５００の係止孔５０４が挿入し易く、また外れにくくしている。また、シート保持用突起４０４は、頭部４０４Ａにおける清掃シート５００の挿着方向に沿う縦方向長さの中央部よりも、取付プレート４０１の基端側にずらした位置に突起軸部４０４Ｂを設け、結果として、シート保持用突起４０４は突起軸部４０４Ｂに対するシート挿入側をえぐり、清掃シート５００の係止孔５０４を挿入し易くしている。そして、シート保持用突起４０４は、清掃シート５００の係止孔５０４が通過する頭部４０４Ａの最大周長を、係止孔５０４の周長と同等程度以下にする。即ち、図６、図７において、シート保持用突起４０４の縦方向長さをＡ、突起軸部４０４Ｂのシート挿入側外周面を通る突起４０４の最大周長をＬ、係止孔５０４の縦方向長さをａ、周長をｌとするとき、ｌ×γ＞Ｌ（γはベース不織布５０１Ａの伸び補正係数）とすることにより、清掃シート５００の係止孔５０４をシート保持用突起４０４に挿入し易くし、ａ≪Ａとすることにより清掃シート５００の係止孔５０４をシート保持用突起４０４から外れにくくしている
【００２８】
清掃ヘッド４００の取付プレート４０１に設けた滑り止め部４０５は、図８〜図１１に示す如く、狭幅部４０１Ｂの下面に設けた突部集合体４０６であり、各突部４０７は例えば短円柱状をなして狭幅部４０１Ｂの下面から立ち上がる側面４０７Ａと該側面４０７Ａに交差する天面４０７Ｂ（図１０、図１１）からなり、側面４０７Ａは円柱外周面の如くに滑らかで角なく形成され、側面４０７Ａと天面４０７Ｂの交差部が角状に形成される。滑り止め部４０５の各突部４０７は、狭幅部４０１Ｂの下面に一体又は別体にして設けられる高摩擦材料（ゴム、起毛布等）からなることができる。
【００２９】
従って、清掃具１にあっては、清掃ヘッド４００に対する清掃シート５００の挿着範囲の中間部に狭幅の引掛部を形成する点シール５０３を設け、取付プレート４０１に挿着した清掃シート５００の点シール５０３を取付プレート４０１の段差状係止部４０１Ｃに引掛けた状態で、清掃シート５００の一端部の係止孔５０４を取付プレート４０１のシート保持用突起４０４に保持するとともに、清掃シート５００を滑り止め部４０５で滑り止めする。
【００３０】
本実施例によれば以下の作用効果を奏する。
(a)清掃具１において、取付プレート４０１の滑り止め部４０５は清掃シート５００が被清掃面からの清掃反力により滑り止め部４０５に押圧されたときに該清掃シート５００を滑り止めする。従って、清掃シート５００を取付プレート４０１に挿着するに際しては、滑り止め部４０５が清掃シート５００に対する抵抗にならない。
【００３１】
(b)取付プレート４０１に清掃シート５００を挿着した清掃時には、清掃シート５００の一端部が取付プレート４０１の基端側のシート保持用突起４０４に保持され、かつ清掃シート５００は取付プレート４０１の先端側で滑り止め部４０５に滑り止めされる。従って、清掃シート５００は取付プレート４０１に対しずれ動くことなく、安定確実に挿着状態を維持される。
【００３２】
(c)取付プレート４０１の滑り止め部４０５が突部集合体４０６であり、突部４０７は取付プレート４０１から立ち上がる側面４０７Ａと該側面４０７Ａに交差する天面４０７Ｂからなり、側面４０７Ａは滑らかで角なく形成され、側面４０７Ａと天面４０７Ｂの交差部が角状に形成される。従って、清掃シート５００は突部４０７の側面４０７Ａと天面４０７Ｂの角状交差部に係合して滑り止めされる。また、突部４０７の側面４０７Ａが滑らかで角なく形成されるから、使用者の手指を痛めることもない。
【００３３】
(d)取付プレート４０１の基端側を広幅部４０１Ａ、先端側を狭幅部４０１Ｂとし、広幅部４０１Ａと狭幅部４０１Ｂの境界に段差状係止部４０１Ｃを設けた。清掃シート５００の中間部を取付プレート４０１の段差状係止部４０１Ｃに係止する状態で、清掃シート５００の一端部を取付プレート４０１の基端側のシート保持用突起４０４に保持することにより、清掃シート５００の一端部〜中間部を取付プレート４０１に安定確実に挿着できる。しかも、清掃シート５００の中間部〜他端部を取付プレート４０１の滑り止め部４０５に滑り止めできる。
【００３４】
(e)清掃シート５００の筒状不織布５０１Ａを取付プレート４０１に挿着したとき、不織布５０１Ａを構成する繊維の交絡部が滑り止め部４０５を構成する突部４０７に引掛かり係合して確実に滑り止めされる（図１１）。
【００３５】
(f)清掃シート５００が貫通する筒をなすから、清掃シート５００の両端部のどちらからも清掃具１の取付プレート４０１に挿着できる。清掃シート５００の先端部分が汚れ易く、根元部分は汚れにくいことから、どちら側からでも差込み可能にしているものである。この場合にも、清掃シート５００は、取付プレート４０１に滑り止めされて安定確実な挿着状態を維持されるから、取付プレート４０１の先端が清掃シート５００の筒から突き出て被清掃面に触れる虞がない。
【００３６】
(g)清掃シート５００が取付プレート４０１に設けた高摩擦材料の滑り止め部４０５に高摩擦力で確実に滑り止めされる。
【図面の簡単な説明】
【００３７】
【図１】図１は清掃具を示す斜視図である。
【図２】図２は清掃シートの挿着状態を示す斜視図である。
【図３】図３は清掃具のヘッドジョイントを示し、（Ａ）は全体図、（Ｂ）は拡大図である。
【図４】図４はヘッドジョイントの組立過程を示す斜視図である。
【図５】図５はヘッドジョイントの組立過程を示す断面図である。
【図６】図６は清掃シートのシート保持用突起を示す平面図である。
【図７】図７は清掃シートのシート保持用突起への挿入過程を示す断面図である。
【図８】図８は清掃ヘッドの取付プレートに設けた滑り止め部を示す裏面図である。
【図９】図９は取付プレートの滑り止め部を拡大して示す裏面図である。
【図１０】図１０は取付プレートの滑り止め部を拡大して示す断面図である。
【図１１】図１１は取付プレートの滑り止め部に対する清掃シートの引掛かり状態を示す模式図である。
【符号の説明】
【００３８】
１  清掃具
１１  把持部
４０１  取付プレート（取付部）
４０１Ａ  広幅部
４０１Ｂ  狭幅部
４０１Ｃ  段差状係止部
４０４  シート保持用突起（保持部）
４０５  滑り止め部
４０６  突部集合体
４０７  突部
４０７Ａ  側面
４０７Ｂ  天面
５００  清掃シート
５０１Ａ  ベース不織布
５０３  点シール（引掛部）
【図１】
2008272242.tif 000003
【図２】
2008272242.tif 000004
【図３】
2008272242.tif 000005
【図４】
2008272242.tif 000006
【図５】
2008272242.tif 000007
【図６】
2008272242.tif 000008
【図７】
2008272242.tif 000009
【図８】
2008272242.tif 000010
【図９】
2008272242.tif 000011
【図１０】
2008272242.tif 000012
【図１１】
2008272242.tif 000013